(57)【要約】  ECHONET Lite（登録商標）規格に準拠したＨＥＭＳネットワーク５に接続するアダプタ１０は、上記規格に対応しない非対応電気機器２のリモコン装置３からリモコン信号を受信してリモコンコードを取得し、取得したリモコンコードをＨＥＭＳネットワーク５を介してＨＥＭＳ端末７に送信する。ＨＥＭＳ端末７は、プロパティコードとリモコンコードとの対応を示す変換情報７５２をアダプタ１０に送信し、アダプタ１０がこれを記憶する。アダプタ１０は、非対応電気機器２を対象とした電文を受信すると、電文に含まれているプロパティコードに対応するリモコンコードを含むリモコン信号を送信して非対応電気機器２を制御する。アダプタ１０は、非対応電気機器２に併設されるセンサユニット８から計測値を受信し、受信した計測値に基づき非対応電気機器２の動作状態を特定する。
2018003116.tif 000002
【特許請求の範囲】
【請求項１】
所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器の動作状態を示す計測値を前記アダプタに送信するセンサユニットと、
を含んで構成される機器制御システムの制御方法であって、
前記アダプタが、
前記通信規格における前記非対応電気機器に対応する制御コードと前記非対応電気機器のリモコンコードとの対応を示す情報である変換情報を記憶する記憶するステップ、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、
前記センサユニットから前記計測値を受信し、受信した前記計測値に基づき前記非対応電気機器の動作状態を特定し、特定した前記動作状態を示す情報を前記制御コードと対応づけて記憶するステップ、
を実行する、
機器制御システムの制御方法。
【請求項２】
請求項１に記載の機器制御システムの制御方法であって、
前記アダプタが、
前記通信ネットワークを介して前記動作状態を示す情報の提供要求を受信し、
受信した前記提供要求で要求される前記動作状態を示す情報を前記提供要求の送信元に送信するステップ、
をさらに実行する、
機器制御システムの制御方法。
【請求項３】
請求項１又は２に記載の機器制御システムの制御方法であって、
前記アダプタは、前記計測値と予め設定された閾値との大小関係が所定期間以上、維持されているか否かに基づき、前記非対応電気機器の動作状態を特定するステップ、
をさらに実行する、
機器制御システムの制御方法。
【請求項４】
請求項１又は２に記載の機器制御システムの制御方法であって、
前記通信規格は、ECHONET Lite（登録商標）規格であり、前記制御コードは、ECHONET Lite（登録商標）規格におけるプロパティコードである
機器制御システムの制御方法。
【請求項５】
所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器の動作状態を示す計測値を前記アダプタに送信するセンサユニットと、
を含み、
前記アダプタは、
前記通信規格における前記非対応電気機器に対応する制御コードと前記非対応電気機器のリモコンコードとの対応を示す情報である変換情報を記憶する記憶を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するリモコン信号送信部と、
前記センサユニットから前記計測値を受信し、受信した前記計測値に基づき前記非対応電気機器の動作状態を特定し、特定した前記動作状態を示す情報を前記制御コードと対応づけて記憶する計測値取得部と、
を備える
機器制御システム。
【請求項６】
請求項５に記載の機器制御システムであって、
前記アダプタは、
前記通信ネットワークを介して前記動作状態を示す情報の提供要求を受信し、受信した提供要求で要求される前記動作状態を示す情報を前記提供要求の送信元に送信する動作状態情報提供部、
をさらに備える
機器制御システム。
【請求項７】
請求項５又は６に記載の機器制御システムであって、
前記計測値取得部は、前記計測値と予め設定された閾値との大小関係が所定期間以上、維持されているか否かに基づき、前記非対応電気機器の動作状態を特定する、
機器制御システム。
【請求項８】
請求項５又は６に記載の機器制御システムであって、
前記通信規格は、ECHONET Lite（登録商標）規格であり、前記制御コードは、ECHONET Lite（登録商標）規格におけるプロパティコードである
機器制御システム。
【請求項９】
請求項５に記載の機器制御システムにおける前記アダプタであって、
前記通信規格における前記非対応電気機器に対応する制御コードと前記リモコンコードとの対応を示す情報である変換情報を記憶する記憶を記憶する変換情報記憶部と、
前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するリモコン信号送信部と、
前記センサユニットから前記計測値を受信し、受信した前記計測値に基づき前記非対応電気機器の動作状態を特定し、特定した前記動作状態を示す情報を前記制御コードと対応づけて記憶する計測値取得部、
を備えるアダプタ。
【請求項１０】
請求項９に記載のアダプタであって、
前記通信ネットワークを介して前記動作状態を示す情報の提供要求を受信し、受信した提供要求で要求される前記動作状態を示す情報を前記提供要求の送信元に送信する動作状態情報提供部、
をさらに備えるアダプタ。
【請求項１１】
請求項９又は１０に記載のアダプタであって、
前記計測値取得部は、前記計測値と予め設定された閾値との大小関係が所定期間以上、維持されているか否かに基づき、前記非対応電気機器の動作状態を特定する、
アダプタ。
【請求項１２】
請求項９又は１０に記載のアダプタであって、
前記通信規格は、ECHONET Lite（登録商標）規格であり、前記制御コードは、ECHONET Lite（登録商標）規格におけるプロパティコードである
アダプタ。
【発明の詳細な説明】
【技術分野】
【０００１】
この発明は、機器制御システムの制御方法、機器制御システム、及びアダプタに関する。
【背景技術】
【０００２】
特許文献１には、自律的に家電機器の動作を管理する状態変化管理システムについて記載されている。状態変化管理システムは、無線または有線によって構内ネットワークへ接続され、状態変化が発生すると構内ネットワーク内へ状態変化の通知を行う家電機器と、家電機器から状態変化の通知を受け取ると、通知時間、対象機器など必要な動作履歴データをまとめた履歴保存ファイルに新規の動作履歴データを追加し、所定タイミングで上記履歴保存ファイルを公衆ネットワークを通じて送信するホームゲートウェイと、ホームゲートウェイから履歴保存ファイルを受信して家電機器の状態変化の動作履歴データを顧客に対応して管理する情報サーバと、を備える。【０００３】
特許文献２には、現状の点灯状態が分からなくても、照明機器を目標点灯状態となるように遠隔制御する照明機器制御システムについて記載されている。照明機器制御システムは、中央制御部と、中央制御部とネットワークを介して接続され照明機器へリモコン信号を送信して照明機器の点灯状態を制御する照明制御部と、照明機器の照度を検出する照度検出部とを備える。照明制御部は、中央制御部からネットワークを介して送信されるリモコン信号生成情報と、照度検出部から伝送される照度情報とから照明機器を目標点灯状態に導くようにリモコン信号を生成する。
【先行技術文献】
【特許文献】
【０００４】
【特許文献１】特開２００５−２４４７５３号公報
【特許文献２】特開２００７−１４１７７１号公報
【非特許文献１】エコーネットコンソーシアム、”ECHONET Lite規格書 Ver.1.12（日本語版、英語版）”、［online］、1997-2016、［平成28年4月26日検索］、インターネット〈URL：http://echonet.jp/spec/〉
【発明の概要】
【発明が解決しようとする課題】
【０００５】
ＨＥＭＳ（Home Energy Management System）を構成する通信ネットワークに関する規格としてECHONET Lite（登録商標）規格がある（非特許文献１）。上記規格では、当該規格に準拠した通信ネットワークに接続される電気機器について、（１）電気機器がフルECHONET Lite機器である場合、（２）ECHONET Lite レディ機器である場合、及び（３）ECHONET Lite（登録商標）規格に対応していない電気機器の３つの場合について規定されている。【０００６】
ここで電気機器がフルECHONET Lite機器である場合（上記（１））、直接上記規格に準拠した通信ネットワークに接続することが可能である。また電気機器がECHONET Lite レディ機器である場合（上記（２））、ECHONET Liteミドルウェアアダプタを追加することで上記通信ネットワークに接続することができる。【０００７】
一方、電気機器がECHONET Lite（登録商標）規格に対応していない機器である場合（上記（３））、電気機器ごとに個別のアダプタを用意する必要があり、ECHONET Lite（登録商標）規格に準拠した通信ネットワークに必ずしも簡単に接続することができない。【０００８】
本発明は、こうした背景に鑑みてなされたものであり、所定の通信規格に対応していない電気機器を、上記通信規格に準拠した通信ネットワークから確実に制御できるようにするための、機器制御システムの制御方法、機器制御システム、及びアダプタを提供することを目的としている。
【課題を解決するための手段】
【０００９】
上記目的を達成するための本発明のうちの一つは、所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、前記アダプタと通信し、前記非対応電気機器の動作状態を示す計測値を前記アダプタに送信するセンサユニットと、を含んで構成される機器制御システムの制御方法であって、前記アダプタが、前記通信規格における前記非対応電気機器に対応する制御コードと前記非対応電気機器のリモコンコードとの対応を示す情報である変換情報を記憶する記憶するステップ、前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、前記センサユニットから前記計測値を受信し、受信した前記計測値に基づき前記非対応電気機器の動作状態を特定し、特定した前記動作状態を示す情報を前記制御コードと対応づけて記憶するステップ、を実行するというものである。【００１０】
このように本発明においては、アダプタが、通信規格における非対応電気機器に対応する制御コードとリモコンコードとの対応を示す情報である変換情報を記憶し、通信ネットワークを介して非対応電気機器を対象とした電文を受信すると、変換情報に基づき、電文に含まれている制御コードに対応するリモコンコードを取得し、取得したリモコンコードを含むリモコン信号を送信するので、非対応電気機器を、所定の通信規格に準拠した通信ネットワークから制御することができる。またアダプタは、センサユニットから動作状態を示す情報を受信し、受信した情報を制御コードと対応づけて記憶するので、アダプタにおいて、非対応電気機器の動作状態を把握することができる。そのため、アダプタは、リモコン信号を送信した後、非対応電気機器の制御が正しく行われたか否かを把握することができる。【００１１】
本発明の他の一つは、上記機器制御システムの制御方法であって、アダプタが、前記アダプタが、前記通信ネットワークを介して前記動作状態を示す情報の提供要求を受信し、受信した前記提供要求で要求される前記動作状態を示す情報を前記提供要求の送信元に送信するステップ、をさらに実行するというものである。【００１２】
本発明によれば、通信ネットワークに接続するＨＥＭＳサーバやＨＥＭＳ端末等の他の装置に非対応電気機器の動作状態を示す情報を提供することができる。そのため、例えば、他の装置は、アダプタを介して非対応電気機器の制御を行った後、制御が正しく行われたか否かを把握することができる。【００１３】
本発明の他の一つは、上記機器制御システムの制御方法であって、前記アダプタは、前記計測値と予め設定された閾値との大小関係が所定期間以上、維持されているか否かに基づき、前記非対応電気機器の動作状態を特定するステップ、をさらに実行するというものである。【００１４】
本発明によれば、アダプタは、非対応電気機器の動作状態を容易かつ正確に特定することができる。【００１５】
尚、上記所定の通信規格は、例えば、ECHONET Lite（登録商標）規格であり、上記制御コードは、例えば、ECHONET Lite（登録商標）規格におけるプロパティコードである。【００１６】
その他、本願が開示する課題、及びその解決方法は、発明を実施するための形態の欄、及び図面により明らかにされる。
【発明の効果】
【００１７】
本発明によれば、所定の通信規格に対応していない電気機器を、上記通信規格に準拠した通信ネットワークから確実に制御することができる。
【図面の簡単な説明】
【００１８】
【図１】機器制御システム１の概略的な構成を示す図である。
【図２】非対応電気機器２のハードウェア構成である。
【図３】リモコン装置３のハードウェア構成である。
【図４】対応電気機器４のハードウェア構成である。
【図５】ＨＥＭＳサーバ６のハードウェア構成である。
【図６】ＨＥＭＳサーバ６の機能及びＨＥＭＳサーバ６が記憶するデータを示す図である。
【図７】プロパティ情報６５１の一例である。
【図８】ＨＥＭＳ端末７のハードウェア構成である。
【図９】ＨＥＭＳ端末７の機能及びＨＥＭＳ端末７が記憶するデータを示す図である。
【図１０】変換情報７５２の一例である。
【図１１】アダプタ１０のハードウェア構成である。
【図１２】アダプタ１０の機能及びアダプタ１０が記憶するデータを示す図である。
【図１３Ａ】変換情報５０の一例である。
【図１３Ｂ】プロパティ情報５５の一例である。
【図１４】センサユニット８のハードウェア構成である。
【図１５】センサユニット８の機能を示す図である。
【図１６】変換情報設定処理Ｓ１６００を説明するフローチャートである。
【図１７Ａ】機器オブジェクト指定画面１７０１の一例である。
【図１７Ｂ】プロパティ指定画面１７０２の一例である。
【図１７Ｃ】変換情報確認画面１７０３の一例である。
【図１８】機器制御処理Ｓ１８００を説明するフローチャートである。
【図１９】動作状態取得処理Ｓ１９００を説明するフローチャートである。
【図２０Ａ】機器オブジェクト指定画面２００１の一例である。
【図２０Ｂ】プロパティ情報確認画面２００２の一例である。
【発明を実施するための形態】
【００１９】
図１に本発明の一実施形態として説明する機器制御システム１の概略的な構成を示している。同図に示すように、機器制御システム１は、ECHONET Lite（登録商標）規格に準拠した通信ネットワークであるＨＥＭＳネットワーク５（HEMS:Home Energy Management System）と、ＨＥＭＳネットワーク５に接続する、ＨＥＭＳサーバ６、ＨＥＭＳ端末７、一つ以上のセンサユニット８、及びアダプタ１０と、ECHONET Lite（登録商標）規格に非対応の電気機器（以下、非対応電気機器２と称する。）と、を含む。機器制御システム１は、ＨＥＭＳネットワーク５に接続する、ECHONET Lite（登録商標）規格に対応した１つ以上の電気機器（以下、対応電気機器４と称する。）をさらに含んでいてもよい。機器制御システム１において、アダプタ１０は、対応電気機器４の一つと見なすことができる。
【００２０】
電気機器（非対応電気機器２，対応電気機器４）は、例えば、エアコン、ＡＶ機器（テレビ、ビデオデッキ、オーディオ機器、各種レコーダ等）、扇風機、加湿器、照明器具等である。
【００２１】
ＨＥＭＳネットワーク５においては、例えば、下位層として、有線又は無線の伝送媒体（例えば、ＬＡＮ（Local Area Network、ＰＬＣ（Power Line Communication）、無線ＬＡＮ、Ｂｌｕｅｔｏｏｔｈ（登録商標）、９２０ＭＨｚ帯無線通信等）が、また中間層として、例えば、ＵＤＰ／ＩＰ等の通信規格が用いられる。
【００２２】
非対応電気機器２には、当該非対応電気機器２を遠隔制御するためのリモコン装置３が付帯している。リモコン装置３から送信されるリモコン信号の種類は問わないが（例えば、Ｂｌｕｅｔｏｏｔｈ（登録商標）や９２０ＭＨｚ帯無線通信等を利用したものでもよい）、本実施形態では赤外線信号（例えば、ＩｒＤＡ（Infrared Data Association）規格に準拠した赤外線信号）であるものとする。リモコン信号は、一連の符号（コード）を含んだ所定のデータフォーマットで構成されている。上記データフォーマットとして、例えば、ＮＥＣ（登録商標）フォーマット、家製協（登録商標）フォーマット、ＳＯＮＹ（登録商標）フォーマット等がある。
【００２３】
ＨＥＭＳサーバ６は、例えば、ＨＥＭＳネットワーク５が設けられている需要家における電力使用に関する情報の蓄積や提供、対応電気機器４の状態監視や制御、発電／売電状況の状態監視や制御、節電情報の提供等の様々なサービスを行う。ＨＥＭＳサーバ６は、例えば、スマートメータの機能を備えるものであってもよい。ＨＥＭＳサーバ６は、ECHONET Lite （登録商標）に関する情報（例えば、プロパティ情報）を記憶し、ＨＥＭＳネットワーク５を介してＨＥＭＳ端末７等に随時上記情報の提供を行う。
【００２４】
ＨＥＭＳ端末７は、ＨＥＭＳネットワーク５を介して対応電気機器４にECHONET Lite（登録商標）に準拠した電文（以下、「電文」という場合は、ECHONET Lite フレームを指すものとする。）を送信することにより、対応電気機器４を制御することができる。またＨＥＭＳ端末７は、ＨＥＭＳネットワーク５を介してアダプタ１０に電文を送信することで非対応電気機器２を制御することができる。
【００２５】
センサユニット８は、プロセッサ（メモリ等の記憶装置を含む）及び通信装置を備える。センサユニット８は、非対応電気機器２の動作状態に関する情報を取得し、取得した情報をアダプタ１０に送信する。非対応電気機器２の動作状態に関する情報は、非対応電気機器２の動作状態の特定に利用する情報であり、例えば、非対応電気機器２が稼働中であるか否か（非対応電気機器２の電源がオンであるかオフであるか等）、非対応電気機器２がいずれの動作モード（例えば、非対応電気機器２がエアコンである場合、暖房、冷房、除湿、空調等のモード）で動作中であるかといった情報である。
【００２６】
センサユニット８は、上記情報を取得（計測）するためのセンサ装置（環境センサや物理量を計測するセンサ等）を備える。非対応電気機器２が、例えば、エアコンである場合、センサユニット８が備えるセンサ装置は、例えば、非対応電気機器２が設けられている室内の温度を計測する温度センサ、非対応電気機器２が設けられている室内の湿度を計測する湿度センサ、非対応電気機器２の送風量を計測する風量センサ、非対応電気機器２の消費電流を計測する電流センサ等である。また例えば、非対応電気機器２が照明である場合、センサユニット８が備えるセンサ装置は、例えば、非対応電気機器２が設けられている室内の照度（明るさ）を計測する照度センサ、非対応電気機器２の消費電流を計測する電流センサ等である。
【００２７】
センサユニット８は、例えば、非対応電気機器２に併設される。１つの非対応電気機器２に種類（検出対象）の異なる１つ以上のセンサユニット８を設けてもよい。センサユニット８の少なくとも一つはアダプタ１０の筐体に組み込まれていてもよい。センサユニット８は、例えば、非対応電気機器２に商用電力を供給するコンセント（プラグ受け、アウトレット）に取り付けられるタイプのものであってもよい。
【００２８】
アダプタ１０は、ＨＥＭＳ端末７から送られてくるECHONET Lite（登録商標）の電文の内容に応じて、非対応電気機器２に付帯するリモコン装置３から送信されるリモコン信号のリモコンコードと同等のリモコンコードを含んだリモコン信号を送信する。アダプタ１０は、ECHONET Lite （登録商標）における制御コードであるプロパティコードとリモコンコードとを対応づけた後述の変換情報５０を記憶し、この変換情報５０を用いて、プロパティコードからリモコンコードへの変換、もしくはその逆の変換を行う。またアダプタ１０は、センサユニット８と通信してセンサユニット８の計測値を随時取得する。
【００２９】
図２に非対応電気機器２のハードウェア構成を示している。同図に示すように、非対応電気機器２は、マイコン２１、入力装置２２、表示装置２３、制御機構２４、及びリモコン通信装置２５を備える。マイコン２１は、プロセッサ及び記憶素子を含む。入力装置２２は、ユーザが非対応電気機器２の設定や操作を行うためのユーザインタフェースであり、例えば、ボタン、スイッチ、タッチパネル等である。表示装置２３は、非対応電気機器２の動作状態等の情報を表示するユーザインタフェースであり、例えば、ＬＣＤ（Liquid Crystal Display）やＬＥＤ（Light Emitting Diode）等である。制御機構２４は、非対応電気機器２の機能を実現する電子素子や機械部品等で構成され、例えば、マイコン２１によって制御される。リモコン通信装置２５は、リモコン装置３やアダプタ１０から送られてくるリモコン信号を受信し、リモコン信号の内容をマイコン２１に伝える。またリモコン通信装置２５は、マイコン２１から送られてくる情報等を含んだリモコン信号を送信する。
【００３０】
図３にリモコン装置３のハードウェア構成を示している。同図に示すように、リモコン装置３は、マイコン３１、入力装置３２、表示装置３３、及びリモコン通信装置３４を備える。マイコン３１は、プロセッサ及び記憶素子を含む。入力装置３２は、ユーザが非対応電気機器２の設定や操作を行うためのユーザインタフェースであり、例えば、ボタンやスイッチ等である。表示装置２３は、非対応電気機器２の動作状態等を表示するユーザインタフェースであり、例えば、ＬＣＤ等である。リモコン通信装置３４は、マイコン３１から送られてくる情報等を含んだリモコン信号を送信する。またリモコン通信装置３４は、非対応電気機器２から送られてくるリモコン信号を受信し、リモコン信号の内容をマイコン３１に伝える。
【００３１】
図４に対応電気機器４のハードウェア構成を示している。同図に示すように、対応電気機器４は、マイコン４１、入力装置４２、表示装置４３、制御機構４４、及びＨＥＭＳ通信装置４５を備える。マイコン４１は、プロセッサ及び記憶素子を含む。入力装置４２は、ユーザが対応電気機器４の設定や操作を行うためのユーザインタフェースであり、例えば、ボタン、スイッチ、タッチパネル等である。表示装置４３は、対応電気機器４の動作状態等の情報を表示するユーザインタフェースであり、例えば、ＬＣＤやＬＥＤ等である。制御機構４４は、対応電気機器４の機能を実現する電子素子や機械部品等で構成され、例えば、マイコン４１によって制御される。ＨＥＭＳ通信装置４５は、ＨＥＭＳネットワーク５を介して他の装置と通信する。
【００３２】
図５にＨＥＭＳサーバ６のハードウェア構成を示している。同図に示すように、ＨＥＭＳサーバ６は、プロセッサ６１、記憶装置６２、入力装置６３、表示装置６４、及びＨＥＭＳ通信装置６５を備える。プロセッサ６１は、例えば、ＣＰＵ（Central Processing Unit）やＭＰＵ（Micro Processing Unit）を用いて構成されている。記憶装置６２は、ＲＡＭ（Random Access Memory）、ＲＯＭ（Read Only Memory）、ＮＶＲＡＭ（Non Volatile RAM）、ハードディスクドライブ、ＳＳＤ（Solid State Drive）等であり、プログラムやデータを記憶する。入力装置６３は、情報の入力を行うユーザインタフェース（タッチパネル、キーパッド、キーボード、マウス等）である。表示装置６４は、情報をユーザに提供するユーザインタフェースであり、例えば、ＬＣＤやＬＥＤ等である。ＨＥＭＳ通信装置６５は、ＨＥＭＳネットワーク５を介した通信を行う。
【００３３】
図６にＨＥＭＳサーバ６の機能及びＨＥＭＳサーバ６が記憶するデータを示している。同図に示すように、ＨＥＭＳサーバ６は、各種機能部６１１、プロパティ情報取得部６１２、プロパティ情報記憶部６１３、及びプロパティ情報提供部６１４の各機能を備える。これらの機能は、プロセッサ６１が、記憶装置６２に格納されているプログラムを読み出して実行することにより、もしくはＨＥＭＳサーバ６が備えるＡＳＩＣ（Application Specific Integrated Circuit）等のハードウェアにより実現される。また同図に示すように、ＨＥＭＳサーバ６は、プロパティ情報６５１を記憶する。ＨＥＭＳサーバ６は、プロパティ情報６５１を、例えば、ＤＢＭＳ（DataBase Management System）によって実現されるデータベースに管理する。
【００３４】
各種機能部６１１は、ＨＥＭＳサーバ６が備える様々な機能、例えば、需要家における電力使用に関する情報の蓄積や提供、対応電気機器４の状態監視や制御、発電／売電状況の状態監視や制御、節電情報の提供等の機能を提供する。
【００３５】
プロパティ情報取得部６１２は、ＨＥＭＳネットワーク５を介して、アダプタ１０から対応電気機器４や非対応電気機器２のプロパティ情報を取得する。
【００３６】
プロパティ情報記憶部６１３は、プロパティ情報取得部６１２が取得したプロパティ情報をプロパティ情報６５１として記憶する。
【００３７】
プロパティ情報提供部６１４は、入力装置６３を介して行われるユーザからの要求、もしくはＨＥＭＳ端末７等のＨＥＭＳネットワーク５に接続する他の装置から送られてくる要求に応じて、もしくは自発的に、プロパティ情報６５１の一部又は全部を随時提供（表示装置６４への出力、ＨＥＭＳネットワーク５を介した情報送信等）する。またプロパティ情報提供部６１４は、プロパティ情報５５を、例えば、ＣＳＶ（Comma-Separated Values)形式等の汎用的なフォーマットで他の装置に提供する。
【００３８】
プロパティ情報６５１は、ECHONET Lite （登録商標）規格における機器オブジェクト（ECHONET機器オブジェクト）ごとに規定された、上記機器オブジェクトの設定や制御を指示する際に用いるコードであるプロパティコードに関する情報、対応電気機器４やアダプタ１０から提供される、対応電気機器４や非対応電気機器２の動作状態を示す情報（後述するプロパティ値）を含む。ECHONET Lite （登録商標）規格に規定されているように、ＨＥＭＳネットワーク５に接続する装置間でＨＥＭＳネットワーク５を介して送受信される電文には、例えば、ECHONET Lite プロパティ（ＥＰＣ）としてプロパティコードが設定される。
【００３９】
図７にプロパティ情報６５１の一例を示す。同図に示すように、プロパティ情報６５１は、プロパティ名称６５１１、プロパティコード６５１２、及びプロパティ値６５１３の各項目を含む一つ以上のレコードで構成される。一つのレコードはECHONET Lite（登録商標）規格における一つのプロパティに対応している。プロパティ名称６５１１には、ECHONET Lite （登録商標）規格におけるプロパティ名称が設定される。プロパティコード６５１２には、ECHONET Lite（登録商標）規格におけるプロパティコードが設定される。プロパティ値６５１３には、プロパティコード６５１２に応じた値（運転モード、温度設定値等）が設定される。
【００４０】
図８にＨＥＭＳ端末７のハードウェア構成を示している。同図に示すように、ＨＥＭＳ端末７は、プロセッサ７１、記憶装置７２、入力装置７３、表示装置７４、及びＨＥＭＳ通信装置７５を備える。プロセッサ７１は、例えば、ＣＰＵやＭＰＵを用いて構成されている。記憶装置７２は、ＲＡＭ、ＲＯＭ、ＮＶＲＡＭ、ハードディスクドライブ、ＳＳＤ等であり、プログラムやデータを記憶する。入力装置７３は、情報の入力を行うユーザインタフェース（タッチパネル、キーパッド、キーボード、マウス等）である。表示装置７４は、情報をユーザに提供するユーザインタフェースであり、例えば、ＬＣＤ等である。ＨＥＭＳ通信装置７５は、ＨＥＭＳネットワーク５を介した通信機能を提供する。
【００４１】
図９にＨＥＭＳ端末７の機能及びＨＥＭＳ端末７が記憶するデータを示している。同図に示すように、ＨＥＭＳ端末７は、各種機能部７１１、プロパティ情報取得部７１２、プロパティ情報記憶部７１３（制御コード記憶部）、リモコンコード受信部７１４、変換情報記憶部７１５、変換情報送信部７１６、非対応電気機器制御部７１７、及びプロパティ情報提供部７１８の各機能を備える。これらの機能は、プロセッサ７１が、記憶装置７２に格納されているプログラムを読み出して実行することにより、もしくはＨＥＭＳ端末７が備えるＡＳＩＣ等のハードウェアにより実現される。尚、ＨＥＭＳ端末７が、例えば、スマートフォンである場合、これらの機能は、例えば、ＨＥＭＳ端末７に専用のアプリケーションを導入（インストール）することにより実現することができる。同図に示すように、ＨＥＭＳ端末７は、プロパティ情報７５１及び変換情報７５２を記憶する。
【００４２】
上記機能のうち、各種機能部７１１は、ＨＥＭＳ端末７が備える様々な機能、例えば、対応電気機器４の設定や状態監視、制御等の機能を提供する。
【００４３】
プロパティ情報取得部７１２は、ＨＥＭＳネットワーク５を介して、ＨＥＭＳサーバ６やアダプタ１０から、対応電気機器４や非対応電気機器２のプロパティ情報を取得する。
【００４４】
プロパティ情報記憶部７１３は、プロパティ情報取得部７１２が取得したプロパティ情報をプロパティ情報７５１として記憶する。
【００４５】
リモコンコード受信部７１４は、ＨＥＭＳネットワーク５を介してアダプタ１０からリモコンコードを受信する。
【００４６】
変換情報記憶部７１５は、プロパティ情報７５１に含まれるプロパティコードとリモコンコードとの対応を示す情報である変換情報７５２を記憶する。変換情報送信部７１６は、変換情報７５２を随時アダプタ１０に送信する。
【００４７】
非対応電気機器制御部７１７は、ユーザから受け付けた操作入力に応じて、非対応電気機器２を制御するための電文を生成し、生成した電文をアダプタ１０に送信する。
【００４８】
図１０に変換情報７５２の一例を示す。同図に示すように、変換情報７５２は、プロパティ名称７５２１、プロパティコード７５２２、及びリモコンコード７５２３の各情報を対応づけた１つ以上のレコードで構成される。このうちプロパティ名称７５２１には、ECHONET Lite （登録商標）における、非対応電気機器２に対応する機器オブジェクトのプロパティ情報のプロパティ名称が設定される。プロパティコード７５２２には、非対応電気機器２に対応する機器オブジェクトのプロパティ情報のプロパティコードが設定される。リモコンコード７５２３には、プロパティコード７５２２に対応するリモコンコードが設定される。
【００４９】
プロパティ情報提供部７１８は、入力装置７３を介して行われるユーザからの要求、もしくはＨＥＭＳサーバ６等のＨＥＭＳネットワーク５に接続する他の装置からの要求に応じて、もしくは自発的に、プロパティ情報７５１の一部又は全部を随時提供（表示装置７４への出力、ＨＥＭＳネットワーク５を介した情報送信等）する。またプロパティ情報提供部７１８は、プロパティ情報５５を、例えば、ＣＳＶ形式等の汎用的なフォーマットで他の装置に提供する。プロパティ情報７５１の内容は、前述したプロパティ情報６５１と同様である。
【００５０】
図１１にアダプタ１０のハードウェア構成を示している。同図に示すように、アダプタ１０は、マイコン１１、ＨＥＭＳ通信装置１２、リモコン通信装置１３、及びユニット通信装置１４を備える。マイコン１１は、プロセッサ及び記憶素子を含む。ＨＥＭＳ通信装置１２は、ＨＥＭＳネットワーク５を介した通信を行う。リモコン通信装置１３は、非対応電気機器２やリモコン装置３との間でリモコン信号の送信や受信を行う。ユニット通信装置１４は、センサユニット８と通信（無線通信又は有線通信）する。
【００５１】
図１２にアダプタ１０の機能及びアダプタ１０が記憶するデータを示している。同図に示すように、アダプタ１０は、変換情報設定部１１１、リモコン信号送信部１１２、計測値取得部１１４、及びプロパティ値提供部１１５の各機能を備える。また変換情報設定部１１１は、リモコン信号受信部１１１１、リモコン信号解析部１１１２、リモコンコード送信部１１１３、変換情報受信部１１１４、及び変換情報記憶部１１１５の各機能を含む。またリモコン信号送信部１１２は、電文受信部１１２１、コード変換部１１２２、及びリモコン信号送信部１１２３の各機能を含む。アダプタ１０が備える以上の機能は、マイコン１１がプログラムを実行することにより、もしくはアダプタ１０が備えるＡＳＩＣ等のハードウェアにより実現される。また同図に示すように、アダプタ１０は、変換情報５０及びプロパティ情報５５を記憶する。
【００５２】
変換情報設定部１１１は、ＨＥＭＳ端末７から送られてくる変換情報７５２に基づき変換情報５０を生成して記憶する。
【００５３】
リモコン信号受信部１１１１は、リモコン装置３から送られてくるリモコン信号を受信する。リモコン信号解析部１１１２は、リモコン信号受信部１１１１が受信したリモコン信号を解析して当該リモコン信号に含まれているリモコンコードを取得する。リモコンコード送信部１１１３は、リモコン信号解析部１１１２が取得したリモコンコードを、ＨＥＭＳネットワーク５を介してＨＥＭＳ端末７に送信する。
【００５４】
変換情報受信部１１１４は、ＨＥＭＳ端末７から送られてくる変換情報７５２を受信する。変換情報記憶部１１１５は、変換情報受信部１１１４が受信した変換情報７５２に基づき変換情報５０を生成して記憶する。
【００５５】
図１３Ａに変換情報５０の一例を示す。同図に示すように、変換情報５０は、プロパティ名称５０１、プロパティコード５０２、及びリモコンコード５０３の各情報を対応づけた１つ以上のレコードで構成される。このうちプロパティ名称５０１には、ECHONET Lite （登録商標）における、非対応電気機器２に対応する機器オブジェクトのプロパティ情報のプロパティ名称が設定される。プロパティコード５０２には、非対応電気機器２に対応する機器オブジェクトのプロパティ情報のプロパティコードが設定される。リモコンコード５０３には、プロパティコード５０２に対応するリモコンコードが設定される。尚、変換情報５０に、プロパティコードに付随するプロパティ値と、リモコンコードを構成（もしくはリモコンコードに付随）する制御情報（例えば、非対応電気機器２の電源をオン又はオフを指定する値、非対応電気機器２がエアコンである場合の温度設定値、非対応電気機器２が照明である場合の照度設定値等）との対応を示す情報を含ませてもよい。
【００５６】
図１２に戻り、リモコン信号送信部１１２は、ＨＥＭＳ端末７から送られてくる電文に含まれているプロパティコードに対応するリモコンコードを変換情報５０から取得し、取得したリモコンコードを含むリモコン信号を送信する。
【００５７】
電文受信部１１２１は、ＨＥＭＳネットワーク５を介してＨＥＭＳ端末７から送られてくる電文を受信する。コード変換部１１２２は、電文受信部１１２１が受信した電文に含まれているプロパティコードに対応するリモコンコードを変換情報５０から取得する。尚、コード変換部１１２２は、プロパティコードに付随するプロパティ値について、前述したリモコンコードの制御情報への変換が必要な場合はその変換も行う。リモコン信号送信部１１２３は、コード変換部１１２２が取得したリモコンコード（必要な場合は上記制御情報を含む）を含むリモコン信号を送信する。
【００５８】
計測値取得部１１４は、ユニット通信装置１４を介してセンサユニット８と通信し、センサユニット８から計測値を取得する。また計測値取得部１１４は、取得した計測値を対応するプロパティ情報５５に反映する。
【００５９】
プロパティ値提供部１１５（動作状態情報提供部）は、ＨＥＭＳサーバ６やＨＥＭＳ端末７から送られてくるプロパティ情報５５の提供要求を受信すると、要求されたプロパティ情報５５を当該提供要求の送信元に提供（送信）する。
【００６０】
図１３Ｂにプロパティ情報５５の一例を示す。同図に示すように、プロパティ情報５５は、プロパティ名称５５１、プロパティコード５５２、及びプロパティ値５５３の各情報を対応づけた１つ以上のレコードで構成される。このうちプロパティ名称５５１には、ECHONET Lite （登録商標）における、非対応電気機器２に対応する機器オブジェクトのプロパティ情報のプロパティ名称が設定される。プロパティコード５５２には、非対応電気機器２に対応する機器オブジェクトのプロパティ情報のプロパティコードが設定される。プロパティ値５５３には、プロパティコード５５２に対応するプロパティ値が設定される。
【００６１】
図１４にセンサユニット８のハードウェア構成を示している。同図に示すように、センサユニット８は、マイコン８１、センサ装置８３、及び通信装置８４を備える。マイコン８１は、プロセッサ及び記憶素子を含む。センサ装置８３は、非対応電気機器２の動作状態に関する情報を取得する装置であり、例えば、電流センサ、温度センサ、湿度センサ、風量センサ、照度センサ等である。通信装置８４は、アダプタ１０と通信（無線通信又は有線通信）する装置であり、例えば、ＵＳＢ、ＲＳ−４８５、ＲＳ−２３２Ｃ、ＺｉｇＢｅｅ（登録商標）、無線ＬＡＮ 、９２０ＭＨｚ帯無線通信、２．４ＧＨｚ帯無線通信等の通信規格に従った通信を行う。
【００６２】
図１５にセンサユニット８の機能を示している。同図に示すように、センサユニット８は、計測値取得要求受信部８１１及び計測値送信部８１２を備える。これらの機能は、マイコン８１がプログラムを読み出して実行することにより、もしくはセンサユニット８が備えるＡＳＩＣ等のハードウェアにより実現される。
【００６３】
計測値取得要求受信部８１１は、アダプタ１０から送られてくる、センサ装置８３の計測値の取得要求を受信する。
【００６４】
計測値送信部８１２は、上記取得要求に応じて、センサ装置８３が出力する計測値をアダプタ１０に送信する。
【００６５】
＝処理説明＝
［変換情報設定処理］
図１６は、機器制御システム１において行われる、変換情報５０の設定に関する処理（以下、変換情報設定処理Ｓ１６００と称する。）を説明するフローチャートである。以下、同図とともに変換情報設定処理Ｓ１６００について説明する。
【００６６】
まずＨＥＭＳ端末７が、ＨＥＭＳネットワーク５を介してアダプタ１０と通信を開始する（Ｓ１６１１，Ｓ１６５１）。ＨＥＭＳ端末７が、例えば、ＨＥＭＳネットワーク５にブロードキャストを送信してアダプタ１０の応答を待機し（アダプタ１０のサーチ）、ブロードキャストに応答してきたアダプタ１０との間で通信を開始するようにしてもよい。
【００６７】
続いて、ＨＥＭＳ端末７は、例えば、入力装置７３を介して、設定対象となる非対応電気機器２のECHONET（登録商標）機器オブジェクト（以下、機器オブジェクトと記載する。）の指定をユーザから受け付ける（Ｓ１６１２）。
【００６８】
図１７Ａに、上記受け付けに際してＨＥＭＳ端末７が表示する画面（以下、機器オブジェクト指定画面１７０１と称する。）の一例を示す。ＨＥＭＳ端末７は、機器オブジェクトの指定（例えば、機器オブジェクトの名称や識別子）を受け付けると、ＨＥＭＳネットワーク５を介して、受け付けた機器オブジェクトのプロパティ情報をＨＥＭＳサーバ６に要求する（Ｓ１６１３）。
【００６９】
ＨＥＭＳサーバ６は、上記要求を受信すると（Ｓ１６７１）、上記要求に指定されている機器オブジェクトのプロパティ情報をＨＥＭＳネットワーク５を介してＨＥＭＳ端末７に送信する（Ｓ１６７２）。
【００７０】
ＨＥＭＳ端末７は、ＨＥＭＳサーバ６からプロパティ情報を受信すると（Ｓ１６１４）、受信したプロパティ情報に含まれているプロパティ名称とプロパティコードとを記載した、変換情報５０の設定画面を表示し（Ｓ１６１５）、これから設定しようとするプロパティの指定をユーザから受け付ける（Ｓ１６１６）。
【００７１】
図１７Ｂに、上記設定画面（以下、プロパティ指定画面１７０２と称する。）の一例を示す。プロパティ指定画面１７０２において、ユーザはチェックボックス１７５１の一つを選択することにより、これから設定対象とするプロパティを指定することができる。
【００７２】
ＨＥＭＳ端末７は、プロパティの指定を受け付けると、ＨＥＭＳネットワーク５を介してアダプタ１０にリモコン信号の受信指示を送信する（Ｓ１６１７）。
【００７３】
アダプタ１０は、上記受信指示を受信すると（Ｓ１６５２）、リモコン装置３から送られてくるリモコン信号の受信を待機する。ユーザは、リモコン装置３のリモコン信号の送信部をアダプタ１０の方向に向け、Ｓ１４１５で指定したプロパティに対応する操作をリモコン装置３に行う。これにより上記操作に対応するリモコンコードを含むリモコン信号がアダプタ１０に向けて送信される。
【００７４】
アダプタ１０は、上記リモコン信号を受信すると（Ｓ１６５３）、受信したリモコン信号を解析してリモコン信号に含まれているリモコンコードを取得し（Ｓ１６５４）、取得したリモコンコードをＨＥＭＳ端末７に送信する（Ｓ１６５５）。
【００７５】
ＨＥＭＳ端末７は、リモコンコードを受信すると（Ｓ１６１８）、受信したリモコンコードとＳ１６１５で指定したプロパティとを対応づけた情報を、変換情報７５２として記憶する（Ｓ１６１９）。
【００７６】
図１７Ｃに、このときにＨＥＭＳ端末７が表示する画面（以下、変換情報確認画面１７０３と称する。）の一例を示す。
【００７７】
続いて、ＨＥＭＳ端末７は、入力装置７３に対して所定の終了操作（例えば、図１７Ｃにおいて確定ボタン１７６１を選択する操作）が行われたか否かを判定する（Ｓ１６２０）。所定の終了操作が行われたと判定すると（Ｓ１６２０：ＹＥＳ）、ＨＥＭＳ端末７は、記憶している変換情報７５２をＨＥＭＳネットワーク５を介してアダプタ１０に送信する（Ｓ１６２１）。尚、Ｓ１６１４で受信したプロパティ情報の全てのプロパティについて設定が完了したことをもってＳ１６２１の処理に移行するとしてもよい。ＨＥＭＳ端末７が所定の終了操作が行われていないと判定すると（Ｓ１６２０：ＮＯ）、処理はＳ１６１６に戻り、未設定のプロパティについて以上と同様の処理が繰り返し行われる。
【００７８】
アダプタ１０は、ＨＥＭＳ端末７から変換情報７５２を受信すると（Ｓ１６５６）、受信した変換情報７５２を変換情報５０として記憶する（Ｓ１６５７）。
【００７９】
尚、以上に示した変換情報設定処理Ｓ１６００におけるＨＥＭＳ端末７の機能の全部または一部を、ＨＥＭＳサーバ６やアダプタ１０において実現するようにしてもよい。
【００８０】
［機器制御処理］
図１８は、ユーザがＨＥＭＳ端末７を操作して非対応電気機器２を制御する際に機器制御システム１において行われる処理（以下、機器制御処理Ｓ１８００と称する。）を説明するフローチャートである。以下、同図とともに機器制御処理Ｓ１８００について説明する。
【００８１】
まずＨＥＭＳ端末７は、非対応電気機器２を制御する画面（例えば、リモコン装置３と同等のボタンが設けられた画面）を表示し（Ｓ１８１１）、ユーザから非対応電気機器２の制御指示の入力を受け付ける（Ｓ１８１２）。
【００８２】
続いて、ＨＥＭＳ端末７は、受け付けた上記制御指示に応じたプロパティコードを設定した電文を、ＨＥＭＳネットワーク５を介してアダプタ１０に送信する（Ｓ１８１３）。
【００８３】
アダプタ１０は、上記電文を受信すると（Ｓ１８５１）、上記電文に設定されているプロパティコードを変換情報５０と対照して上記プロパティコードに対応するリモコンコードを取得し（Ｓ１８５２）、取得したリモコンコードを含むリモコン信号を送信する（Ｓ１８５３）。尚、上記リモコン信号には、上記電文にプロパティコードとともに含まれているプロパティ値に相当する制御情報（例えば、非対応電気機器２の電源をオン又はオフする指示、非対応電気機器２がエアコンである場合の温度設定値、非対応電気機器２が照明である場合の照度設定値等）が含まれる。
【００８４】
非対応電気機器２は、上記リモコン信号を受信すると（Ｓ１８７１）、受信したリモコン信号に応じた処理（設定、制御等）を実行する（Ｓ１８７２）。
【００８５】
尚、以上に示した機器制御処理Ｓ１８００におけるＨＥＭＳ端末７の機能の全部または一部を、ＨＥＭＳサーバ６やアダプタ１０において実現するようにしてもよい。
【００８６】
［動作状態取得処理］
アダプタ１０は、非対応電気機器２の動作状態を示す情報としてセンサユニット８から計測値を取得し、取得した計測値をプロパティ情報５５として記憶する。アダプタ１０は、非対応電気機器２について管理しているプロパティ情報（プロパティ値）を、ＨＥＭＳサーバ６やＨＥＭＳ端末７に提供する。これにより、例えば、アダプタ１０を介して非対応電気機器２の制御を行った後、当該制御が正しく行われたか否かを、ＨＥＭＳサーバ６やＨＥＭＳ端末７において確認することができる。
【００８７】
図１９は、アダプタ１０がセンサユニット８から計測値を取得してこれをプロパティ情報５５として記憶し、非対応電気機器２について管理しているプロパティ値を、ＨＥＭＳサーバ６やＨＥＭＳ端末７に提供するまでの一連の処理（以下、動作状態取得処理Ｓ１９００と称する。）を説明するフローチャートである。
【００８８】
同図に示すように、アダプタ１０は、センサユニット８と通信し、センサユニット８に計測値を要求する（Ｓ１９１１）。この計測値の要求は、例えば、アダプタ１０で動作するオペレーティングシステムの制御の下、センサユニット８ごとに個別に実行されるスレッドにより行われる。センサユニット８は、上記要求を受信すると（Ｓ１９３１）、アダプタ１０に計測値を送信する（Ｓ１９３２）。アダプタ１０は、計測値を受信すると（Ｓ１９１２）、受信した計測値を記憶する（Ｓ１９１３）。
【００８９】
続いて、アダプタ１０は、取得した計測値を、プロパティ情報５５に反映するか否か（取得した計測値に対応するプロパティコード（ＥＰＣ）のプロパティ値を更新するか否か）を判定し（Ｓ１９１４）、反映する場合は（Ｓ１９１４：ＹＥＳ）、プロパティ値を更新する（Ｓ１９１５）。一方、アダプタ１０が、取得した計測値をプロパティ情報５５に反映しないと判定した場合（Ｓ１９１４：ＮＯ）、処理はＳ１９１６に進む。
【００９０】
ここでアダプタ１０は、例えば、取得した計測値を、予め記憶している閾値と比較することにより上記判定を行う。例えば、計測値が消費電流である場合、アダプタ１０は、計測値が予め設定された第１閾値以下である状態が所定期間持続すれば、動作状態のプロパティ値（ＥＰＣ（＝０ｘ８０））を「ＯＦＦ（＝０ｘ３１）」に更新し、一方、計測値が予め設定された第２閾値（≧第１閾値）以上である状態が所定期間持続すれば、アダプタ１０は、動作状態のプロパティ値（ＥＰＣ（＝０ｘ８０））を「ＯＮ（＝０ｘ３０）」に更新する。また例えば、計測値が温度である場合、アダプタ１０は、計測値が予め設定された第１閾値以下である状態が所定期間持続すれば、動作状態のプロパティ値（ＥＰＣ（＝０ｘＢＢ））を計測値に相当する値に更新する。
【００９１】
以上のようにして、アダプタ１０が記憶しているプロパティ値の内容が更新される。尚、以上の如くプロパティ情報５５に反映するか否の判定を逐一行うのではなく、例えば、アダプタ１０がセンサユニット８から計測値を受信した際、受信した計測値を、対応するプロパティ情報５５に無条件で上書きするようにしてもよい。
【００９２】
アダプタ１０は、以上のようにして、非対応電気機器２の最新の動作状態に一致するよう、プロパティ情報５５の内容を最新の状態に維持する。またアダプタ１０は、ＨＥＭＳサーバ６やＨＥＭＳ端末７からの要求に応じて、もしくは自発的に、プロパティ情報５５の内容をＨＥＭＳサーバ６やＨＥＭＳ端末７に提供する。
【００９３】
即ちアダプタ１０は、ＨＥＭＳサーバ６やＨＥＭＳ端末７からプロパティ情報５５（プロパティ値５５３）の提供要求を受信すると（Ｓ１９４１，Ｓ１９１６）、要求されたプロパティ情報５５（プロパティ値５５３）を要求元に返す（Ｓ１９１７，Ｓ１９４２）。これによりＨＥＭＳサーバ６やＨＥＭＳ端末７は、非対応電気機器２の最新の動作状態を把握することができる。またＨＥＭＳサーバ６やＨＥＭＳ端末７は、非対応電気機器２の最新の動作状態に関する情報をユーザに提供する。
【００９４】
図２０Ａは、ユーザが、ＨＥＭＳサーバ６又はＨＥＭＳ端末７を利用して非対応電気機器２の動作状態を確認する際、ＨＥＭＳサーバ６又はＨＥＭＳ端末７が出力する画面（以下、機器オブジェクト指定画面２００１と称する。）の一例である。ＨＥＭＳサーバ６又はＨＥＭＳ端末７は、例えば、この機器オブジェクト指定画面２００１を介して、動作状態を確認しようとする非対応電気機器２を指定する。
【００９５】
図２０Ｂは、機器オブジェクト指定画面２００１にて非対応電気機器２を指定した後に表示される画面（プロパティ情報確認画面２００２）である。ユーザは、プロパティ情報確認画面２１０２に表示されるプロパティ値２００２１を参照することにより、非対応電気機器２の動作状態を確認することができる。
【００９６】
尚、このように非対応電気機器２の動作状態を示す情報を画面に表示してユーザに確認させるのではなく、例えば、ＨＥＭＳサーバ６又はＨＥＭＳ端末７が、取得したプロパティ値に応じて所定の制御を行うようにしてもよい。上記制御として、例えば、非対応電気機器２をオンするリモコン信号を送信したにも拘わらず非対応電気機器２の動作状態がオフのままである場合における、非対応電気機器２をオンさせるリモコン信号の再送信がある。また上記制御として、例えば、非対応電気機器２がエアコンである場合、動作モードを冷房に設定したにも拘わらず室温が低下しない場合における、動作モードを冷房に設定するリモコン信号の再送信がある。
【００９７】
以上に説明したように、本実施形態の機器制御システム１は、非対応電気機器２を制御するリモコン装置３から送信されるリモコン信号と、ECHONET Lite（登録商標）規格における非対応電気機器２に対応する機器オブジェクトのプロパティコードとの対応を示す情報である変換情報５０を生成し、変換情報５０をアダプタ１０に記憶させる。そしてＨＥＭＳ端末７から上記ＨＥＭＳネットワーク５を介してアダプタ１０にプロパティコードが送信されると、アダプタ１０は変換情報５０に基づきプロパティコードをリモコンコードに変換し、変換したリモコンコードをリモコン信号に含ませて送信する。このように本実施形態の機器制御システム１によれば、非対応電気機器２を上記規格に準拠したＨＥＭＳネットワーク５から制御する仕組みを実現することができる。このため、例えば、住宅等における既設の非対応電気機器２を容易にＨＥＭＳネットワーク５から制御できるようにすることができる。
【００９８】
また機器制御システム１によれば、変換情報５０を利用して、非対応電気機器２から送信されたリモコン信号に含まれている情報をＨＥＭＳ端末７に伝える仕組みを実現することができる。
【００９９】
またアダプタ１０は、センサユニット８から計測値を受信し、受信した計測値によってプロパティ情報５５を最新の状態に維持し、最新のプロパティ情報５５をＨＥＭＳサーバ６やＨＥＭＳ端末７に提供するので、ＨＥＭＳサーバ６やＨＥＭＳ端末７は、非対応電気機器２の最新の状態を把握することができる。このため、例えば、ユーザは、アダプタ１０を介して非対応電気機器２の制御を行った後、制御が正しく行われたか否かを、ＨＥＭＳサーバ６やＨＥＭＳ端末７を介して確認することができる。また例えば、ＨＥＭＳサーバ６やＨＥＭＳ端末７は、非対応電気機器２の制御を行った後の非対応電気機器２の動作状態を把握し、リモコン信号の再送等の制御を非対応電気機器２に対して行うことができる。以上の構成によりユーザは非対応電気機器２を確実に制御することができる。
【０１００】
尚、以上の説明は、本発明の理解を容易にするためのものであり、本発明を限定するものではない。本発明はその趣旨を逸脱することなく、変更、改良され得ると共に本発明にはその等価物が含まれることは勿論である。
【０１０１】
例えば、以上ではリモコン装置３から送信されるリモコン信号が赤外線信号である場合を例として説明したが、リモコン信号は２．４ＧＨｚ帯の無線信号や９２０ＭＨｚ帯の無線信号等、他の種類の無線信号であってもよい。
【０１０２】
ＨＥＭＳサーバ６、ＨＥＭＳ端末７、及びアダプタ１０は、必ずしも独立したハードウェアでなくてもよい。例えば、ＨＥＭＳ端末７やアダプタ１０の機能の一部又は全部をＨＥＭＳサーバ６に設けてもよい。また例えば、ＨＥＭＳ端末７が備える機能の一部又は全部をアダプタ１０に設けてもよい。
【０１０３】
プロパティ情報は、必ずしもＨＥＭＳサーバ６から提供される構成でなくてもよく、例えば、ＨＥＭＳ端末７やアダプタ１０に予め記憶しておくようにしてもよい。
【０１０４】
変換情報５０はアダプタ１０からアクセスできる状態になっていればよく、変換情報５０はアダプタ１０以外の場所に存在していてもよい。
【０１０５】
ＨＥＭＳネットワーク５は、ECHONET Lite（登録商標）規格以外の規格に準拠するものであってもよい。
【符号の説明】
【０１０６】
１  機器制御システム、２  非対応電気機器、３  リモコン装置、４  対応電気機器、５  ＨＥＭＳネットワーク、６  ＨＥＭＳサーバ、６１２  プロパティ情報取得部、６１３  プロパティ情報記憶部、６１４  プロパティ情報提供部、６５１  プロパティ情報、６５１２  プロパティコード、７  ＨＥＭＳ端末、７１２  プロパティ情報取得部、７１３  プロパティ情報記憶部、７１４  リモコンコード受信部、７１５  変換情報記憶部、７１６  変換情報送信部、７１７  非対応電気機器制御部、７５１  プロパティ情報、７５２  変換情報、７５２２  プロパティコード、７５２３  リモコンコード、８  センサユニット、１０  アダプタ、１２  ＨＥＭＳ通信装置、１３  リモコン通信装置、１４  ユニット通信装置、１１１  変換情報設定部、１１１１  リモコン信号受信部、１１１２  リモコン信号解析部、１１１３  リモコンコード送信部、１１１４  変換情報受信部、１１１５  変換情報記憶部、１１２  リモコン信号送信部、１１２１  電文受信部、１１２２  コード変換部、１１２３  リモコン信号送信部、１１４  計測値取得部、１１５  プロパティ値提供部、５０  変換情報、５１１  プロパティ名称、５１２  プロパティコード、５１３  リモコンコード、Ｓ１４００  変換情報設定処理、Ｓ１８００  機器制御処理、Ｓ１９００  動作状態取得処理、２００２  プロパティ情報確認画面
【図１】
2018003116.tif 000003
【図２】
2018003116.tif 000004
【図３】
2018003116.tif 000005
【図４】
2018003116.tif 000006
【図５】
2018003116.tif 000007
【図６】
2018003116.tif 000008
【図７】
2018003116.tif 000009
【図８】
2018003116.tif 000010
【図９】
2018003116.tif 000011
【図１０】
2018003116.tif 000012
【図１１】
2018003116.tif 000013
【図１２】
2018003116.tif 000014
【図１３Ａ】
2018003116.tif 000015
【図１３Ｂ】
2018003116.tif 000016
【図１４】
2018003116.tif 000017
【図１５】
2018003116.tif 000018
【図１６】
2018003116.tif 000019
【図１７Ａ】
2018003116.tif 000020
【図１７Ｂ】
2018003116.tif 000021
【図１７Ｃ】
2018003116.tif 000022
【図１８】
2018003116.tif 000023
【図１９】
2018003116.tif 000024
【図２０Ａ】
2018003116.tif 000025
【図２０Ｂ】
2018003116.tif 000026
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
所定の通信規格に準拠した通信ネットワークに接続する通信端末と、
前記通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器の動作状態を示す計測値を前記アダプタに送信するセンサユニットと、
を含んで構成される機器制御システムの制御方法であって、
前記アダプタが、
前記非対応電気機器を制御するリモコン装置から送信されるリモコン信号を受信するステップ、
前記リモコン信号に含まれるリモコンコードを取得するステップ、
取得した前記リモコンコードを前記通信端末に送信するステップ、
を実行し、
前記通信端末が、
前記アダプタから送られてくる前記リモコンコードを受信するステップ、
受信した前記リモコンコードを前記通信規格における前記非対応電気機器に対応する制御コードと対応づけた情報を変換情報として記憶するステップ、
前記変換情報を前記通信ネットワークを介して前記アダプタに送信するステップ、
を実行し、
前記アダプタが、
前記通信端末から送られてくる前記変換情報を受信して記憶するステップ、
前記通信ネットワークを介して前記非対応電気機器を対象とした前記電文を前記通信端末から受信した場合に、前記変換情報に基づき、前記電文に含まれている前記制御コードに対応する前記リモコンコードを取得し、取得した前記リモコンコードを含むリモコン信号を送信するステップ、
前記センサユニットから前記計測値を受信し、受信した前記計測値に基づき前記非対応電気機器の動作状態を特定し、特定した前記動作状態を示す情報を前記制御コードと対応づけて記憶するステップ、
を実行する、
機器制御システムの制御方法。
【請求項２】
請求項１に記載の機器制御システムの制御方法であって、
前記アダプタが、
前記通信ネットワークを介して前記通信端末から送られてくる、前記動作状態を示す情報の提供要求を受信し、受信した前記提供要求で要求される前記動作状態を示す情報を前記提供要求の送信元に送信するステップ、
をさらに実行する、
機器制御システムの制御方法。
【請求項３】
請求項１又は２に記載の機器制御システムの制御方法であって、
前記アダプタは、前記計測値と予め設定された閾値との大小関係が所定期間以上、維持されているか否かに基づき、前記非対応電気機器の動作状態を特定するステップ、
をさらに実行する、
機器制御システムの制御方法。
【請求項４】
請求項１又は２に記載の機器制御システムの制御方法であって、
前記通信規格は、ECHONET Lite（登録商標）規格であり、前記制御コードは、ECHONET Lite（登録商標）規格におけるプロパティコードである
機器制御システムの制御方法。
【請求項５】
所定の通信規格に準拠した通信ネットワークに接続する通信端末と、
前記通信ネットワークに接続し、前記通信ネットワークを介して送られてくる電文を受信し、前記電文の内容に応じて、前記通信ネットワークに非対応の電機機器である非対応電気機器を制御するアダプタと、
前記アダプタと通信し、前記非対応電気機器の動作状態を示す計測値を前記アダプタに送信するセンサユニットと、
を含み、
前記アダプタは、
前記非対応電気機器を制御するリモコン装置から送信されるリモコン信号を受信するリモコン信号受信部と、
前記リモコン信号に含まれるリモコンコードを取得するリモコン信号解析部と、
取得した前記リモコンコードを前記通信端末に送信するリモコンコード送信部と、
を備え、
前記通信端末は、
前記アダプタから送られてくる前記リモコンコードを受信するリモコンコード受信部と、 受信した前記リモコンコードを前記通信規格における前記非対応電気機器に対応する制御コードと対応づけた情報を変換情報として記憶する変換情報記憶部と、
前記変換情報を前記通信ネットワークを介して前記アダプタに送信する変換情報送信部と、
を備え、
前記アダプタは、
前記通信端末から送られてくる前記変換情報を受信する変換情報受信部と、
受信した前記変換情報を記憶する変換情報記憶部と、
前記通信ネットワークを介して前記非対応電気機器を対象とした前記電文を前記通信端末から受信する電文受信部と、
前記変換情報に基づき、前記電文に含まれている前記制御コードに対応する前記リモコンコードを取得するコード変換部と、
取得した前記リモコンコードを含むリモコン信号を送信するリモコン信号送信部と、
前記センサユニットから前記計測値を受信し、受信した前記計測値に基づき前記非対応電気機器の動作状態を特定し、特定した前記動作状態を示す情報を前記制御コードと対応づけて記憶する計測値取得部と、
を備える
機器制御システム。
【請求項６】
請求項５に記載の機器制御システムであって、
前記アダプタは、
前記通信ネットワークを介して前記通信端末から送られてくる、前記動作状態を示す情報の提供要求を受信し、受信した提供要求で要求される前記動作状態を示す情報を前記提供要求の送信元に送信する動作状態情報提供部
をさらに備える
機器制御システム。
【請求項７】
請求項５又は６に記載の機器制御システムであって、
前記計測値取得部は、前記計測値と予め設定された閾値との大小関係が所定期間以上、維持されているか否かに基づき、前記非対応電気機器の動作状態を特定する、
機器制御システム。
【請求項８】
請求項５又は６に記載の機器制御システムであって、
前記通信規格は、ECHONET Lite（登録商標）規格であり、前記制御コードは、ECHONET Lite（登録商標）規格におけるプロパティコードである
機器制御システム。
【請求項９】
請求項５に記載の機器制御システムにおける前記アダプタであって、
前記非対応電気機器を制御するリモコン装置から送信されるリモコン信号を受信するリモコン信号受信部と、
前記リモコン信号に含まれるリモコンコードを取得するリモコン信号解析部と、
取得した前記リモコンコードを前記通信端末に送信するリモコンコード送信部と、
前記通信端末から送られてくる前記変換情報を受信する変換情報受信部と、
受信した前記変換情報を記憶する変換情報記憶部と、
前記通信ネットワークを介して前記非対応電気機器を対象とした前記電文を前記通信端末から受信する電文受信部と、
前記変換情報に基づき、前記電文に含まれている前記制御コードに対応する前記リモコンコードを取得するコード変換部と、
取得した前記リモコンコードを含むリモコン信号を送信するリモコン信号送信部と、
前記センサユニットから前記計測値を受信し、受信した前記計測値に基づき前記非対応電気機器の動作状態を特定し、特定した前記動作状態を示す情報を前記制御コードと対応づけて記憶する計測値取得部と、
を備えるアダプタ。
【請求項１０】
請求項９に記載のアダプタであって、
前記通信ネットワークを介して前記通信端末から送られてくる、前記動作状態を示す情報の提供要求を受信し、受信した提供要求で要求される前記動作状態を示す情報を前記提供要求の送信元に送信する動作状態情報提供部、
をさらに備えるアダプタ。
【請求項１１】
請求項９又は１０に記載のアダプタであって、
前記計測値取得部は、前記計測値と予め設定された閾値との大小関係が所定期間以上、維持されているか否かに基づき、前記非対応電気機器の動作状態を特定する、
アダプタ。
【請求項１２】
請求項９又は１０に記載のアダプタであって、
前記通信規格は、ECHONET Lite（登録商標）規格であり、前記制御コードは、ECHONET Lite（登録商標）規格におけるプロパティコードである
アダプタ。
【手続補正２】
【補正対象書類名】明細書
【補正対象項目名】０００９
【補正方法】変更
【補正の内容】
【０００９】
上記目的を達成するための本発明のうちの一つは、所定の通信規格に準拠した通信ネットワークに接続し、前記通信ネットワークを介して送られてくる電文を受信し、前記電文の内容に応じて、前記通信ネットワークに非対応の電機機器である非対応電気機器を制御するアダプタと、前記アダプタと通信し、前記非対応電気機器の動作状態を示す計測値を前記アダプタに送信するセンサユニットと、を含んで構成される機器制御システムの制御方法であって、前記アダプタが、前記通信規格における前記非対応電気機器に対応する制御コードと前記非対応電気機器のリモコンコードとの対応を示す情報である変換情報を記憶するステップ、前記通信ネットワークを介して前記非対応電気機器を対象とした前記電文を受信した場合に、前記変換情報に基づき、前記電文に含まれている前記制御コードに対応する前記リモコンコードを取得し、取得した前記リモコンコードを含むリモコン信号を送信するステップ、前記センサユニットから前記計測値を受信し、受信した前記計測値に基づき前記非対応電気機器の動作状態を特定し、特定した前記動作状態を示す情報を前記制御コードと対応づけて記憶するステップ、を実行するというものである。
【手続補正３】
【補正対象書類名】明細書
【補正対象項目名】００１１
【補正方法】変更
【補正の内容】
【００１１】
本発明の他の一つは、上記機器制御システムの制御方法であって、前記アダプタが、前記通信ネットワークを介して前記動作状態を示す情報の提供要求を受信し、受信した前記提供要求で要求される前記動作状態を示す情報を前記提供要求の送信元に送信するステップ、をさらに実行するというものである。
【国際調査報告】
2018003116.tif 000027
2018003116.tif 000028
2018003116.tif 000029
2018003116.tif 000030